(57)【要約】      （修正有）【課題】携帯時はもちろん使用時にも電子機器を確実に装着して保護できる電子機器用ケースを提供する。【解決手段】第１の保護板１１０側から延びる第１のブラケット１１２と、第２の保護板１２０側から延びる第２のブラケット１２２とを、その連結軸が電子機器２００のヒンジ結合部２３０とほぼ同軸上になるように回動自在に軸結合する。これによって、電子機器２００を閉じたときはもちろん、開いたときでも上側保持部１１１および下側保持部１２１によって電子機器２００を確実に保持することが可能となり、携帯時はもちろん使用時にも電子機器２００を確実に装着して保護できる。【選択図】図２
0003215866.tif 000002
【実用新案登録請求の範囲】
【請求項１】
それぞれ略矩形状をした表示部と操作部とをヒンジ結合して二つ折りに開閉可能な電子機器を収容するケースであって、
前記表示部の外側を覆う第１の保護板と、前記操作部の外側を覆う第２の保護板とを有すると共に、前記第１の保護板と第２の保護板とを前記ヒンジ結合部を覆うように連結帯で連結し、
前記第１の保護板の角部に前記表示部の角部を保持する上側保持部を形成すると共に、前記第２の保護板の角部に前記操作部の角部を保持する下側保持部を形成し、
前記連結帯の内側に前記第１の保護板側から延びる第１のブラケットと、前記第２の保護板側から延びる第２のブラケットとを設け、
前記第１のブラケットと第２のブラケットとを、その連結軸が前記電子機器のヒンジ結合部と略同軸上になるように回動自在に軸結合してなることを特徴とする電子機器用ケース。
【請求項２】
請求項１に記載の電子機器用ケースにおいて、
第１の保護板または第２の保護板の一方に止め帯を設けると共に、前記第１の保護板または第２の保護板の他方に前記止め帯を着脱する面ファスナまたはスナップボタンあるいは磁石を設けたことを特徴とする電子機器用ケース。
【考案の詳細な説明】
【技術分野】
【０００１】
本考案は、電子辞書や電子手帳などの携帯用電子機器を衝撃や外傷などから保護するための電子機器用ケースに関する。
【背景技術】
【０００２】
従来の電子辞書や電子手帳などの携帯用電子機器の多くは、液晶モニターなどを有する表示部と、各種操作ボタンや文字キーなどを配置した操作部とを有している構造となっている。そして、これらを一体的に連結すると共に、その連結部をヒンジ結合することで二つ折りに収納できるようになっている。
【０００３】
これらの携帯用電子機器は、プラスチック製の筐体内に各種電子部品や電池などを収容した構造となっているため、落下などによる衝撃が加わるとその筐体や液晶モニターが割れたり傷付いたりしてしまい、最悪の場合は故障したり操作不能になることがある。このため、携帯用電子機器を衝撃や外傷などから保護するために製造メーカーやサードパーティなどから種々の電子機器用ケースが提供されている。
【０００４】
この種の電子機器用ケースとしては、例えば以下の特許文献１や２には、柔軟なケース本体の内側および携帯用情報端末機器にそれぞれ面ファスナーを貼り付け、この面ファスナー同士を結合させることでケース本体に携帯用情報端末機器を取りつけると共に、その携帯用情報端末機器をケース本体で覆うことで携帯用情報端末機器を保護するようなキャリングケースが提案されている。
【０００５】
また、以下の特許文献３には、携帯電子機器を覆うように挟み込む手帳状の本体に面状ファスナを設け、この面状ファスナで携帯機器を固定すると共に、その周囲を手帳状の本体で覆い、その本体を保持手段で閉じた状態に保持することで電子機器を保護するようにした携帯電子機器用カバーが提案されている。さらに、以下の非特許文献１に示すようにブックカバータイプのケースやセミハードカバータイプのケース、あるいはソフトタイプのケースなど種々のものが提供されている。
【先行技術文献】
【特許文献】
【０００６】
【特許文献１】実開平６−６５２２２号公報
【特許文献２】特開２０００−２５９５７４号公報
【特許文献３】特開平９−１０８０２４号公報
【非特許文献１】カシオ計算機株式会社ウェブサイト［平成３０年１月２２日検索］、インターネット＜URL：https://casio.jp/exword/case/＞
【考案の概要】
【考案が解決しようとする課題】
【０００７】
ところで、前述したような電子機器と一体化するような構造のケースは、粘着テープや接着剤で一体化する必要があるため、取り付けが容易でなく、また簡単に取り外すことができない。また、ブックカバータイプのケースは、ケースの内側に固定用のツメを電子機器の種類やサイズに合わせて設ける必要があるため、電子機器のサイズや形式が変わると使用できず、汎用性に乏しい。また、セミハードカバータイプのケースやソフトタイプのケースは電子機器を使用する際には、これと完全に分離してしまうため、紛失してしまうおそれがある。
【０００８】
そこで、本考案の目的はこれらの課題を解決するために案出されたものであり、その主な目的は、携帯時はもちろん使用時にも電子機器を確実に装着して保護できる新規な電子機器用ケースを提供することにある。
【課題を解決するための手段】
【０００９】
前記課題を解決するために第１の考案は、それぞれ略矩形状をした表示部と操作部とをヒンジ結合して二つ折りに開閉可能な電子機器を収容するケースであって、前記表示部の外側を覆う第１の保護板と、前記操作部の外側を覆う第２の保護板とを有すると共に、前記第１の保護板と第２の保護板とを前記ヒンジ結合部を覆うように連結帯で連結し、前記第１の保護板の角部に前記表示部の角部を保持する上側保持部を形成すると共に、前記第２の保護板の角部に前記操作部の角部を保持する下側保持部を形成し、前記連結帯の内側に前記第１の保護板側から延びる第１のブラケットと、前記第２の保護板側から延びる第２のブラケットとを設け、前記第１のブラケットと第２のブラケットとを、その連結軸が前記電子機器のヒンジ結合部とほぼ同軸上になるように回動自在に軸結合してなることを特徴とする電子機器用ケースである。
【００１０】
このような構成によれば、第１の保護板の角部に設けた上側保持部によって表示部側を保持すると共に、第２の保護板の角部に設けた下側保持部によって操作部側を保持することができる。これによって、二つ折りに開閉自在な電子機器の表示部と操作部の外側をそれぞれ第１の保護板および第２の保護板によって覆うように保護することができる。
【００１１】
また、第１の保護板と第２の保護板を連結する連結帯の内側に、第１の保護板側から延びる第１のブラケットと、第２の保護板側から延びる第２のブラケットとを設け、これら第１のブラケットと第２のブラケットとを、その連結軸が電子機器のヒンジ結合部とほぼ同軸上になるように回動自在に軸結合したため、電子機器を閉じたときはもちろん、開いたときでも前記上側保持部および下側保持部によって電子機器を確実に保持（ホールド）することができる。これによって、携帯時はもちろん使用時にも電子機器を確実に装着して保護できる。
【００１２】
第２の発明は第１の発明において、第１の保護板または第２の保護板の一方に止め帯を設けると共に、前記第１の保護板または第２の保護板の他方に前記止め帯を着脱する面ファスナまたはスナップボタンまたは磁石を設けたことを特徴とする電子機器用ケースである。このような構成によれば、電子機器を閉じて表示部と操作部を重ねた状態で一方の止め帯を他方の保護板に面ファスナまたはスナップボタンまたは磁石で結合すれば、持ち運びの際に電子機器が勝手に開いたりするのを防止できる。
【考案の効果】
【００１３】
本考案によれば、第１の保護板側から延びる第１のブラケットと、第２の保護板側から延びる第２のブラケットとを、その連結軸が電子機器のヒンジ結合部とほぼ同軸上になるように回動自在に軸結合したため、電子機器を閉じたときはもちろん、開いたときでも前記上側保持部および下側保持部によって電子機器を確実に保持（ホールド）することができる。これによって、携帯時はもちろん使用時にも電子機器を確実に装着して保護できる。また、使用時には装着したままで電子機器から分離する必要がないため、紛失などのおそれもない。
【図面の簡単な説明】
【００１４】
【図１】本考案に係る電子機器用ケース１００の実施の一形態を示す斜視図である。
【図２】電子機器２００を装着して開いたときの状態を示す斜視図である。
【図３】電子機器２００を装着して閉じたときの状態を示す斜視図である。
【図４】電子機器２００を装着して閉じたときの状態を示す側面図である。
【図５】電子機器２００を装着して開いたときの状態を示す側面図である。
【図６】第１ブラケット１１２などがないときの第１保護板１１０の状態を示す側面図である。
【考案を実施するための形態】
【００１５】
以下、本考案の実施の形態を添付図面を参照しながら説明する。図１乃至図４は本考案に係る電子機器用ケース１００の実施の一形態を示したものであり、図１はその斜視図、図２は電子機器２００を装着して開いたときの状態を示す斜視図、図３は電子機器２００を装着して閉じたときの状態を示す斜視図、図４は電子機器２００を装着して閉じたときの状態を示す側面図である。
【００１６】
図２および図３に示すように、この電子機器用ケース１００は、二つ折りに開閉可能な電子機器２００を保護すべくこれに装着されて用いられるものであることから、先ずは便宜上この電子機器２００の構造について簡単に説明する。この電子機器２００は、例えば学生や会社員などが通学、通勤中に携帯して使用する電子辞書などが代表的なものであり、それぞれ矩形状をした表示部２１０と、操作部２２０とを有している。
【００１７】
この表示部２１０は、プラスチックや金属などからなる矩形状の筐体２１１の内側に液晶モニター２１２が設けられており、その液晶モニター２１２に必要な情報が表示されるようになっている。一方、操作部２２０は、表示部２１０の筐体２１１とほぼ同じ材質・形・大きさの筐体２２１の表面に各種操作ボタンや文字キー２２２などが設けられていると共に、その内部には液晶モニター２１２に表示するための情報を処理するための電子回路や演算・記憶装置などが収容されている。
【００１８】
そして、この表示部２１０と操作部２２０とは、電池収納部を兼ねた筒状のヒンジ結合部２３０によって蝶番状に連結されており、このヒンジ結合部２３０を軸に表示部２１０と操作部２２０とが二つ折り（二つ重ね）状態からほぼ１８０℃まで回動するように開閉自在な構造となっている。
【００１９】
このような電子機器２００に適用される本考案に係る電子機器用ケース１００は、図１および図２に示すように、表示部２１０の外側を覆う第１の保護板１１０と、操作部２２０の外側（下側）を覆う第２の保護板１２０と、ヒンジ結合部２３０を覆う連結帯１３０とから構成されている。この第１の保護板１１０および第２の保護板１２０は、それぞれ表示部２１０および操作部２２０よりもやや大きい（縦横に３ｍｍ〜１０ｍｍ程度）矩形状となっている。
【００２０】
この第１の保護板１１０および第２の保護板１２０は、例えばポリウレタンやポリ塩化ビニルなどの合成皮革に代表される柔軟な表皮材から構成されており、その表皮材を重ね合わせ、その内部に矩形状をした紙やプラスチック、金属、木材などからなる薄板状の芯材を包むようにして縫い込むことで適度な厚み、剛性を保持しつつ外部からの衝撃を柔らげるクッションの働き（緩衝機能）を為している。なお、この第１保護板１１０および第２保護板１２０の大きさは、電子機器２００の大きさによって異なってくるため特に限定するものではないが、例えば幅（Ｗ）１５０〜１６０ｍｍ、奥行き（Ｄ）９０〜１００ｍｍ、厚さ２〜３ｍｍ程度となっている。
【００２１】
連結帯１３０は、第１保護板１１０および第２保護板１２０を一定の距離を隔てて平行に連結するようになっている。そして、この連結帯１３０の長さ、すなわち第１保護板１１０および第２保護板１２０と間隔の長さは、図３および図４に示すように、電子機器２００を装着して閉じたときのヒンジ結合部２３０の外周とほぼ同じ長さ、例えば約４０ｍｍなっている。
【００２２】
また、図１に示すように第１保護板１１０および第２保護板１２０の外周側に位置する両角部には、フック状をした一対の上側保持部１１１，１１１と、下側保持部１２１，１２１がそれぞれ設けられている。この上側保持部１１１，１１１は、図２に示すように電子機器２００の表示部２１０の上端側の両角部をそれぞれ保持すると共に、下側保持部１２１，１２１は、電子機器２００の操作部２２０の下端側の両角部をそれぞれ保持するようになっている。
【００２３】
これら上側保持部１１１，１１１および下側保持部１２１，１２１は、第１保護板１１０および第２保護板１２０の表皮部分と同じくポリウレタンやポリ塩化ビニル、ゴムなどのような柔軟な材質またはプラスチックのような比較的硬い材質からなっており、第１保護板１１０および第２保護板１２０側に縫い付けるなどして一体化されている。
【００２４】
また、図１に示すように連結帯１３０の両端の内側には、第１保護板１１０側から延びる一対の第１ブラケット１１２，１１２と、第２保護板１２０側から延びる一対の第２ブラケット１２２，１２２とが設けられており、これら第１ブラケット１１２，１１２と第２ブラケット１２２，１２２とは、連結ピン１１３によって回動自在に軸結合されていてヒンジ機能を有している。そして、図２に示すようにこれら連結ピン１１３、１１３は、それぞれ電子機器２００のヒンジ結合部２３０の両端であってそのヒンジ結合部２３０とほぼ同軸上になるように位置している。
【００２５】
すなわち、この第１ブラケット１１２，１１２は、第１保護板１１０の内側から起立するように延びる舌片状の部材から構成されると共に、第２ブラケット１２２，１２２は、第２保護板１２０の内側から起立するように延びる同じく舌片状の部材から構成されており、その端部を重ね合わせた状態でその重ね合わせ部分を連結ピン１１３によって回動自在に軸結合されている。
【００２６】
また、図１に示すように第２保護板１２０にはその端辺中央から延びるように止め帯１４０が設けられており、図３に示すようにその端部に設けられた面ファスナ（フック側）１４１が第１保護板１１０の背面側に設けられた面ファスナー（ループ側）１４２に対して着脱自在となっている。なお、この止め帯１４０のサイズは、例えば幅約２０ｍｍ、長さ６０ｍｍ程度の大きさとなっている。
【００２７】
このような構成をした本考案に係る電子機器用ケース１００は、図２に示すように第１保護板１１０および第２保護板１２０を開いて、第１保護板１１０の上側保持部１１１，１１１に電子機器２００の表示部２１０の上端側の両角部をそれぞれ差し込んで保持すると共に、第２保護板１２０の下側保持部１２１，１２１に操作部２２０の下端側の両角部をそれぞれ差し込んで保持することで電子機器２００に装着することができる。従って、従来例のように電子機器２００側に面ファスナや接着剤を貼り付ける必要はない。
【００２８】
取り付け後はこの第１保護板１１０が表示部２１０の背面側を保護すると共に、第２保護板１２０が操作部２２０の下面を保護し、連結帯１３０がヒンジ結合部２３０の外側を保護するようにそれぞれ機能する。反対に電子機器２００を取り外す際には、この柔軟な材料からなる上側保持部１１１，１１１および下側保持部１２１，１２１を手で外側に軽く引っ張るだけで簡単に取り外すことができる。
【００２９】
電子機器２００の未使用時（搬送時）には、図３に示すように電子機器２００の表示部２１０と操作部２２０とを重ね合わせるように二つ折りにした後、第２保護板１２０側の止め帯１４０の面ファスナ（フック側）１４１を第１保護板１１０側の面ファスナー（ループ側）１４２に貼り付けることでコンパクトに収納できると共に、搬送時などに電子機器２００が勝手に開くことを防止することができる。そして、この電子機器用ケース１００はその全体が適度な剛性を有しつつ柔軟な材料で構成されているため、多少の衝撃が加わってもこれを緩衝して電子機器２００を外傷から保護することができる。
【００３０】
一方、電子機器２００を使用する際には、図５に示すように止め帯１４０の面ファスナ（フック側）１４１を解除して第２保護板１２０側が机上になるようにして表示部２１０側を起立するように開くことになるが、連結帯１３０の内側に設けられた一対の第１ブラケット１１２，１１２と第２ブラケット１２２，１２２の作用により、電子機器２００の角部が上側保持部１１１，１１１および下側保持部１２１，１２１に４箇所で確実に保持された状態が維持されるため、電子機器２００が上側保持部１１１，１１１および下側保持部１２１，１２１から勝手に外れたり抜け落ちたりするようなことはない。
【００３１】
すなわち、第１ブラケット１１２と第２ブラケット１２２を連結する連結ピン１１３が、電子機器２００のヒンジ結合部２３０とほぼ同軸上になるように位置していることにより、図４に示すように上側保持部１１１と連結ピン１１３の距離Ｌ１および下側保持部１２１と連結ピン１１３の距離Ｌ２は、閉じた状態と開いた状態のいずれであっても常に同じ距離が保たれるため、図６に示すように電子機器２００を開いたときに第１保護板１１０の第１ブラケット１１２の位置がずれて抜け落ちたりすることがない。
【００３２】
図６は、本考案のような第１ブラケット１１２と第２ブラケット１２２およびこれらを軸結合する連結ピン１１３がない構成を示したものである。本考案のように電子機器２００のヒンジ結合部２３０と第１ブラケット１１２および第２ブラケット１２２との距離Ｌ１、Ｌ２を維持する機能がないと、図示するように電子機器２００を開いた際に余剰となった連結帯１３０の展開力によって特にフリーな状態の第１保護板１１０全体が押し上げられてしまう。この結果、上側保持部１１１、１１１が表示部２１０の角部から離れることで外れてしまうことになるが、本考案の電子機器用ケース１００によればこのような不都合を未然に防止して常に上側保持部１１１、１１１によって表示部２１０を保持（ホールド）することができる。
【００３３】
なお、本実施の形態では止め帯１４０を面ファスナ１４１，１４２によって締結するようにしているが、面ファスナ１４１，１４２に代えて、財布やバッグなどで多用されているスナップボタンや磁石などのその他の締結具を用いても良い。また、材質はポリウレタンやポリ塩化ビニルなどのような比較的安価なものを用いているが、本革や布、紙、プラスチックなどのその他の材料を用いても良い。また、この止め帯１４０を省略した構成であっても良い。
【符号の説明】
【００３４】
１００…電子機器用ケース
１１０…第１保護板
１１１…上側保持部
１１２…第１ブラケット
１１３…連結ピン
１２０…第２保護板
１２０…第２の保護板
１２１…下側保持部
１２２…第２ブラケット
１３０…連結帯
１４０…止め帯
１４１、１４２…面ファスナ
２００…電子機器
２１０…表示部
２２０…操作部
２３０…ヒンジ結合部
【図１】
0003215866.tif 000003
【図２】
0003215866.tif 000004
【図３】
0003215866.tif 000005
【図４】
0003215866.tif 000006
【図５】
0003215866.tif 000007
【図６】
0003215866.tif 000008